(57)【要約】      （修正有）【課題】本発明は、亀頭部に接触または被さる陰茎包皮等の癒合部分に、尿の滴りにより悪臭の発生及び雑菌等の繁殖が生じることにたいして亀頭部と陰茎包皮の接触癒合を抑制し、尿が尿口から包皮小帯、冠状溝等に滴り流れることを抑制させることにより、男性器の衛生を保持することを目的とした男性用ナプキンを提供する。【解決手段】柔軟性のある布及び紙をΩ状に成型し、Ω状下部左右両足部をゴム部４で連結し伸縮性をもたせΩ状中央通し穴部６の拡大縮小を可能とする。Ω状上部には装脱着を容易にするための取っ手部２を設ける男性用ナプキン。亀頭部に包皮被り又は包皮接触等により不衛生のある男性は、亀頭部後部の冠状溝に上記ナプキンを装着し、亀頭部・包皮小帯及び冠状溝等の湿潤、尿の滴り等を抑制させる。伸縮性をもったナプキンは、装脱着を容易にし排尿時障害及び勃起時障害のないよう対処している。【選択図】図１
2010227514.tif 000002
【特許請求の範囲】
【請求項１】
亀頭部と陰茎包皮間の癒合を遮断させ、尚且つ尿口から漏れる若干の尿が、陰茎包皮小帯に伝わることを遮断させるために、Ω型の布地又は紙を使用し、そのΩ型の中央穴部に亀頭部を挿入し、環状溝と陰茎の間に布及び紙を留置させたΩ状を構成する男性用ナプキン。
【請求項２】
請求項１に記載の男性用ナプキンにあって、その着脱を容易にするためΩ上の上部に、着脱のための取り外し用取っ手及び下着等に連結する脱落防止用フック止めを形成させて構成する請求項１に記載の男性用ナプキン。
【請求項３】
請求項１に記載の男性用ナプキンにあって、その布地、合成繊維及び紙等の材質に抗菌処理を施し構成する請求項１、２、に記載の男性用ナプキン。
【請求項４】
請求項１に記載の男性用ナプキンにあって、着脱作業を容易にする、また排尿時尿道狭窄・勃起時の血管狭窄にしないように適度に伸縮を持つ伸縮性ゴムを内蔵連結させ構成する請求項１，２，３、に記載の男性用ナプキン。
【請求項５】
請求項１に記載の男性用ナプキンにあってΩ型左右足部においてはを連結するゴムの収納及び使用時に尿漏れをより多く吸収するため二つ折にし糊付け及び糸により縫製固着を施し構成する請求項１，２，３、４に記載の男性用ナプキン。
【発明の詳細な説明】
【技術分野】
【０００１】  本発明は、男性器尿道口より流出する少量の尿を陰茎包皮小帯に流出することを遮断し、亀頭部と陰茎包皮の癒合部及び包皮小帯より環状溝に癒合する陰茎包皮に多く繁殖する雑菌及び悪臭等を軽減し、また日常的亀頭部に包皮が覆い被る（真正包茎・カントン包茎を除く。）包皮を、抵抗物をもって亀頭部より陰茎部に留置することに清潔を保持することに関するものである。
【背景技術】
【０００２】  従来、男性用ナプキンの目的とするものは、軽い尿盛れを吸収し下着の汚れを防止するために下着にパッドを張り付けるもの，衛生リング、蒸れ防止装置が知られている。（特許文献１，登録実用新案文献２参照）
【特許文献１】特許公開平９−７５３８４
【登録実用新案文献２】
登録実用新案第３１０２２６４号
【発明の開示】
【発明が解決しようとする課題】
【０００３】  男性器の亀頭部とそれを覆う陰茎包皮及び亀頭環状溝と陰茎包皮癒合部分には、尿が付着する。その尿はアンモニアに変化し毒素となりさらに多種多様な雑菌繁殖の温床となる。
尿の付着による雑菌繁殖、悪臭発生及び恥垢発生等の弊害は、稀に皮膚炎を発症することもあり、性感染症の菌を媒介することもあり不健康である。
本発明は、男性器の癒合部分を軽減させまた若干の尿漏れ流出を阻止し、皮膚炎及び雑菌による弊害を軽減することにある。【０００４】  従来の男性用ナプキンは、オムツに尿取りパッドのような物を取り付ける物で男性器の包皮までを賄うものではない。又仮性包茎を矯正するものが多く存在するが、これらは男性器の衛生目的でなく装着時に雑菌の繁殖・悪臭が発生する弊害があった（合成樹脂、金属等が皮膚に密着すると密着部が湿潤し雑菌・悪臭が発生する）。またリング状のゴムに綿を巻いたものもあるが、取っ手部が無く着脱困難、陰茎の収縮時に脱落する、そして若干の尿漏れを阻止する面積が少ない等の問題点があった。
本発明は、これたの問題点を解決するためになされたものである。
【課題を解決するための手段】
【０００５】  本発明は、亀頭部とそれを覆う陰茎包皮及び亀頭環状溝と陰茎包皮との癒合を防止し、抗菌された水分吸収性のある違和感の少ない布地及び紙をΩ状に裁断し、Ω状足部を布ゴムで連結させ左右の収縮性をもたし容易に着脱可能なよう構成させている。
そして亀頭部環状溝に装着ことにより亀頭部に覆いかぶさる包皮及び包皮小帯部に吸収体である布及び紙により抵抗をもたせ癒合部を減少させ、また包皮小帯より環状溝に浸透する尿をブロックさせ、さらにその布・紙においては抗菌処理を施すことにより雑菌繁殖及び悪臭の軽減を図る。
また、排尿時の尿道の狭窄及び勃起時の血管圧迫のない用収縮性をもたした男性用ナプキンである。
【発明の効果】
【０００６】  本発明の実施よる効果は、亀頭部に接触する陰茎包皮または亀頭部に覆い被さる陰茎包皮等による皮膚接触及び癒合部分が減少し、更に抗菌剤を施された布及び紙により雑菌の繁殖悪臭が軽減される。【０００７】  本発明品下部両足部においては、尿口から漏れ出す少量の尿が包皮小帯に流れ出す事を阻止し、そのことにより包皮小帯部の悪臭及び雑菌の繁殖を大幅に軽減できる。【０００８】  本発明には収縮機能が設定され、着脱を容易にし排尿時及び勃起時に排尿困難・勃起阻害を引き起こさなくなった。【０００９】  本発明品は、その殆どが柔軟な布及び紙製で形成され、装着時皮膚にたいする和感がなくなった。
【発明を実施するための形態】
【００１０】以下、本発明の実施の形体を説明する。
（イ）布及び紙などの生地からなる平面体（１）にΩ状に近似した形状に裁断し、Ω状上部に取り外し容易になるよう取っ手部（２）を設ける。
（ロ）Ω状中央部、通し穴部（６）には、陰茎を通す通し穴を設けこの通し穴より陰茎を着脱する。
（ハ）Ω状下部、尿受け部（３）（５）においては、板ゴムを使用し連結させ、容易に着脱可能にしている。
（二）左右尿受け部においては、布及び紙を接着剤及び縫製により二重とし、上記板ゴムが直接皮膚に触れるこののないようゴムは左右尿受け部二重の内部に収納される。また残尿流出の吸収向上のためにも二重にしている。
本発明は以上の構成よりなる。
本発明を使用する場合は、亀頭部に被さっている包皮を環状溝まで戻した状態の陰茎を、左右尿受け部（３）、を両手指にて左右に開き、通し穴部（６）、より装着し、亀頭部後部の環状溝部（１０）に収める。おさめた後収縮拡大が生じΩ状全体辺に歪みが生じる。その歪みを利用し左右尿受け部（３）を尿口に近づくようにする。
【図面の簡単な説明】
【００１１】
【図１】本発明の斜視図
【図２】正面図
【図３】背面図
【図４】右側面図
【図５】平面図
【図６】底面図
【図７】Ａ−Ａ断面図
【図８】装着時側面図
【図９】装着時底面図
【図１０】男性器図
【符号の説明】
【００１２】（１）平面体、（２）取っ手部、（３）表側尿受け部、（４）ゴム部、（５）裏側尿受け部、（６）通し穴部、（７）ミシン目、（８）包皮小帯、（９）環状溝部、（１０）亀頭部、（１１）陰茎部。
【図１】
2010227514.tif 000003
【図２】
2010227514.tif 000004
【図３】
2010227514.tif 000005
【図４】
2010227514.tif 000006
【図５】
2010227514.tif 000007
【図６】
2010227514.tif 000008
【図７】
2010227514.tif 000009
【図８】
2010227514.tif 000010
【図９】
2010227514.tif 000011
【図１０】
2010227514.tif 000012
【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
亀頭部に接触、または被さる陰茎包皮等の接触癒合部分の抑制、及び尿口から滴る尿成分が陰茎包皮小帯、冠状溝部等に滴ることを抑制するために、厚さ２ミリ前後の布地又は紙等の素材をΩ型に形成し、陰茎と亀頭後部との間の冠状溝に装着し衛生保持をおこなう男性用ナプキン。
【請求項２】
請求項１に記載の男性用ナプキンにあって、その着脱を容易にするためΩ上の上部に、着脱のための取り外し用取っ手及び下着等に連結する脱落防止用フック止め突起部を形成させて構成する請求項１に記載の男性用ナプキン。
【請求項３】
請求項１に記載の男性用ナプキンにあって、その素材に除菌・防臭処理を施し構成する請求項１、２、に記載の男性用ナプキン。
【請求項４】
請求項１に記載の男性用ナプキンにあって、着脱作業を容易にする、また排尿時尿道狭窄・勃起時の血管狭窄にしないように適度に伸縮を持つ伸縮性ゴムを内蔵連結させ構成する請求項１，２，３、に記載の男性用ナプキン。
【請求項５】
請求項１に記載の男性用ナプキンにあってΩ型左右足部において足部を連結するが、連結するゴムが剥き出しにならないよう、左右足部の生地を折り返しその内部にゴムを縫製固着する。Ω状両足部の折り返しにより生地は二重になりより多くの水分吸収が得られることを施し構成する請求項１，２，３、４に記載の男性用ナプキン。
【手続補正２】
【補正対象書類名】明細書
【補正対象項目名】全文
【補正方法】変更
【補正の内容】
【発明の詳細な説明】
【技術分野】
【０００１】  本発明は、亀頭部に陰茎包皮が癒着及び癒合しないよう、厚さ２ｍｍ前後の布及び紙等の素材をΩ状に成型し（以下、本男性用ナプキン）、亀頭後部の冠状溝にを留置する。本男性用ナプキンを留置することにより、排尿後の残尿が陰茎包皮小帯及び冠状溝に滴ることを遮断する。
また日常的に亀頭部皮膚に陰茎包皮が覆い被ることにより発生する癒合部分の不衛生に対して、本男性用ナプキンを装着することにより陰茎の清潔を保持することに関するものである。
【背景技術】
【０００２】  従来、男性用ナプキンの目的とするものは、軽い尿盛れを吸収し下着の汚れを防止するために下着にパッドを張り付けるもの，衛生リング、蒸れ防止装置が知られている。（特許文献１，登録実用新案文献２参照）
【特許文献１】特許公開平９−７５３８４
【登録実用新案文献２】
登録実用新案第３１０２２６４号
【発明の開示】
【発明が解決しようとする課題】
【０００３】  男性器の亀頭部とそれを覆う陰茎包皮との癒合部には、臭いが発生し雑菌繁殖の温床となり不衛生である。男性器の不衛生は、稀に皮膚炎の発症・性感染症等の菌を媒介することもあり不健康である。
本発明は、男性器の亀頭部とそれを覆う陰茎包皮との癒合・癒着部分を軽減させ、尿口から滴る若干の尿が包皮小帯及び冠状溝に流出することを阻止することにより悪臭の発生と雑菌の繁殖をによる弊害を軽減することにある。【０００４】  従来の男性用ナプキンは、オムツに尿取りパッドのような物を取り付ける物で男性器の亀頭部と陰茎包皮の癒合部分までを賄うものではない。
又合成樹脂等で成型された、仮性包茎を矯正するものが多く存在するがこれらは男性器の衛生目的でなく装着時に雑菌の繁殖・悪臭が発生する弊害があった（合成樹脂、金属等が皮膚に密着すると密着部が湿潤し雑菌・悪臭が発生する）。またリング状のゴムに綿を巻いたものもあるが、取っ手部が無く就寝勃起時に強い違和感と取り外し困難に陥ることがある。
また尿漏れを阻止する面積が少なく、ナプキンというよりも仮性包茎矯正器としての役割が強い等の問題点があった。
本発明は、これたの問題点を解決するためになされたものである。
【課題を解決するための手段】
【０００５】  本発明は、亀頭部と陰茎包皮及び冠状溝と陰茎包皮との癒合・癒着を抑制防止するため、Ω状に裁断した布及び紙製の男性用ナプキンを冠状溝に装着留置する。装着留置されたナプキンにより亀頭部は、直接陰茎包皮が接触することがなくなり皮膚接触における湿潤の軽減ができ臭い及び細菌の繁殖等が軽減できる。また尿口より包皮小帯に滴る少量の尿は、包皮小帯・冠状溝に装着されたナプキンに吸収され、尿による不衛生が軽減できる。
また本ナプキン下部には、装脱着が容易にでき排尿時の尿道狭窄の無いように板ゴムを内蔵させ収縮性をもたし，ナプキン本体には除菌防臭処理を施すことにより雑菌の繁殖及び臭いの軽減をもたらせた男性用ナプキンである。
【発明の効果】
【０００６】  本発明の実施よる効果は、亀頭部に接触する陰茎包皮または亀頭部に覆い被さる陰茎包皮等による皮膚接触及び癒合部分が減少する。接触皮膚間の湿潤箇所が軽減されることにより、亀頭部における悪臭・雑菌の繁殖等の抑制と軽減が可能となる。更にナプキン本体を除菌・防臭処理することにより雑菌の繁殖及び悪臭が軽減される。【０００７】  本発明品下部両足部においては、二重の生地により尿口下部を受け皿のように両脇から支える。本体下部両足部は、尿口から滴る尿が、包皮小帯に流れ出し包皮小帯部の湿潤を大きく阻止する役割も持っている。包皮小帯の湿潤防止は、冠状溝及び亀頭部の悪臭及び雑菌の繁殖を大幅に軽減できる。【０００８】  本発明品下部両足部は、板ゴムを縫製により連結させ収縮機能を設ける。その収縮機能により、ナプキンの装脱着を容易にし排尿時及び勃起時に排尿困難・勃起阻害を引き起こさなくなった。【０００９】  本発明品は、その殆どが柔軟な布及び紙製で形成され、装着時皮膚にたいする違和感がなくなった。
【発明を実施するための形態】
【００１０】以下、本発明の実施の形体を説明する。
（イ）布及び紙などの生地からなる平面体（１）にΩ状に近似した形状に裁断し、Ω状上部に取り外し容易になるよう取っ手部（２）を設ける。
（ロ）Ω状中央部、通し穴部（６）には、陰茎を通す通し穴を設けこの通し穴より陰茎を着脱する。
（ハ）Ω状下部、尿受け部（３）（５）においては、板ゴムを使用し連結させ、容易に着脱可能にしている。
（二）左右尿受け部においては、布及び紙を接着剤及び縫製により二重とし、上記板ゴムが直接皮膚に触れるこののないようゴムは左右尿受け部二重の内部に収納される。また残尿流出の吸収向上のためにも二重にしている。
本発明は以上の構成よりなる。
本発明を使用する場合は、亀頭部に被さっている包皮を冠状溝まで戻した状態の陰茎を、左右尿受け部（３）、を両手指にて左右に開き、通し穴部（６）、より装着し、亀頭部後部の冠状溝部（１０）に収める。おさめた後収縮拡大が生じΩ状全体辺に歪みが生じる。その歪みを利用し左右尿受け部（３）を尿口に近づくようにするｚ。
【図面の簡単な説明】
【００１１】
【図１】本発明の斜視図
【図２】正面図
【図３】背面図
【図４】右側面図
【図５】平面図
【図６】底面図
【図７】Ａ−Ａ断面図
【図８】装着時側面図
【図９】装着時底面図
【図１０】男性器図
【符号の説明】
【００１２】（１）平面体、（２）取っ手部、（３）表側尿受け部、（４）ゴム部、（５）裏側尿受け部、（６）通し穴部、（７）ミシン目、（８）包皮小帯、（９）冠状溝部、（１０）亀頭部、（１１）陰茎部。
【手続補正４】
【補正対象書類名】図面
【補正対象項目名】全図
【補正方法】変更
【補正の内容】
【図１】
2010227514.tif 000013
【図２】
2010227514.tif 000014
【図３】
2010227514.tif 000015
【図４】
2010227514.tif 000016
【図５】
2010227514.tif 000017
【図６】
2010227514.tif 000018
【図７】
2010227514.tif 000019
【図８】
2010227514.tif 000020
【図９】
2010227514.tif 000021
【図１０】
2010227514.tif 000022